【手続補正書】
【提出日】平成21年10月3日(2009.10.3)
【手続補正１】
【補正対象書類名】特許請求の範囲
【補正対象項目名】全文
【補正方法】変更
【補正の内容】
【特許請求の範囲】
【請求項１】
水性ビヒクル中にシリル化ポリビニルアルコールおよびコロイダルシリカを含むコーティング組成物であって、該組成物の固形分は７．５％ｗ／ｗより大きくなく、該シリル化ポリビニルアルコール中のシリルモノマー含有量は該シリル化ポリビニルアルコールを形成するモノマーに基づいて３．０％より大きくなく、該シリル化ポリビニルアルコールは、該組成物の固形分の少なくとも５０％ｗ／ｗを構成し、該コロイダルシリカの平均粒径は５〜８０ｎｍであるコーティング組成物。
【請求項２】
該組成物の固形分が０．５％ｗ／ｗから５．０％ｗ／ｗであり、該シリル化ポリビニルアルコール中のシリルモノマーの含有量は０．２％から２．０％ｗ／ｗであり、該シリル化ポリビニルアルコールが組成物の固形分の６０％ｗ／ｗから９０％ｗ／ｗを構成する、請求項１記載のコーティング組成物。
【請求項３】
請求項１または２記載の組成物を柔軟な基体に適用し、水性ビヒクルを移転することを含む、ガスバリヤラメラの製造方法。
【請求項４】
無機化合物を含むコーティングも適用される、請求項３記載の製造方法。
【請求項５】
シリル化ポリビニルアルコールおよびコロイダルシリカを含むコーティングが、無機化合物を含むコーティング上に適用される、請求項４記載の製造方法。
【請求項６】
シリル化ポリビニルアルコールおよびコロイダルシリカを含むコーティングが、無機化合物を含むコーティングと反対側の基体表面上にコーティングされる、請求項４記載の製造方法。
【請求項７】
基体が柔軟なプラスチックフィルムである、請求項３記載の製造方法。
【請求項８】
無機化合物を含む第１のコーティング、およびその内部に粒状シリカが分散されたシリル化ポリビニルアルコールを含む第２のコーティングでコーティングされた柔軟な軟質プラスチックフィルムを含むガスバリヤラメラであって、該シリル化ポリビニルアルコール中のシリルモノマー含有量が該シリル化ポリビニルアルコールを形成するモノマーに基づいて３．０％より大きくなく、該シリル化ポリビニルアルコールは該シリル化ポリビニルアルコールおよびシリカの全重量の固形分の少なくとも５０％ｗ／ｗを構成し、該コロイダルシリカの平均粒径は５〜５０ｎｍである、ガスバリヤラメラ。
【請求項９】
該組成物の固形分が０．５％ｗ／ｗから５．０％ｗ／ｗであり、該シリル化ポリビニルアルコール中のシリルモノマーの含有量は０．２％から２．０％ｗ／ｗであり、該シリル化ポリビニルアルコールが組成物の固形分の６０％ｗ／ｗから９０％ｗ／ｗを構成する、請求項８記載のガスバリヤラメラ。
【請求項１０】
基体がポリエステルである、請求項８または９記載のラメラ。  
【請求項１１】
第２のコーティングが第１のコーティング上にコーティングされる、請求項８から１０のいずれか１項記載のラメラ。
【請求項１２】
第２のコーティングが第１のコーティングと反対側の柔軟なプラスチックフィルムの表面に適用される、請求項８から１０のいずれか１項記載のラメラ。
【請求項１３】
請求項８から１２のいずれか１項記載のラメラを含み、さらなる柔軟なプラスチックシートに接着される多層ラメラ。
【請求項１４】
請求項８から１３のいずれか１項記載のラメラを含む包装材料で形成されるパッケージ。
【請求項１５】
包装材料が請求項８から１３のいずれか１項記載のラメラを含む、包装された食品、医薬品、または他の大気に敏感な物質。
【手続補正２】
【補正対象書類名】明細書
【補正対象項目名】００３８
【補正方法】変更
【補正の内容】
【００３８】
Ａ．表２の中で示されるシリル化ＰＶＡは、株式会社クラレから商業的に利用可能である。
本発明は以下の実施態様を包含する。
第１項：水性ビヒクル中にシリル化ポリビニルアルコールおよびコロイダルシリカを含むコーティング組成物であって、該組成物の固形分は７．５％ｗ／ｗより大きくなく、シリル化ポリビニルアルコール中のシリルモノマー含有量は、シリル化ポリビニルアルコールを形成するモノマーに基づいて３．０％より大きくなく、該シリル化ポリビニルアルコールは、組成物の固形分の少なくとも５０％ｗ／ｗを構成し、コロイダルシリカの平均粒径は５〜８０ｎｍであるコーティング組成物。
第２項：固形分が少なくとも０．５％ｗ／ｗである、第１項記載のコーティング組成物。
第３項：固形分が１．５から５．０％ｗ／ｗである、第１項または２項記載のコーティング組成物。  
第４項：シリル化ポリビニルアルコール中のシリルモノマーの含有量が少なくとも０．２％である、第１から３のいずれか１項記載のコーティング組成物。
第５項：シリル化ポリビニルアルコール中のシリルモノマーの含有量が２．０％未満である、第１から４のいずれか１項記載のコーティング組成物。
第６項：シリル化ポリビニルアルコール中のシリルモノマーの含有量が０．４から２．０％である、第５項記載のコーティング組成物。
第７項：シリル化ポリビニルアルコールが組成物の固形分の少なくとも６０％ｗ／ｗを構成する、第１から６のいずれか１項記載のコーティング組成物。
第８項：シリル化ポリビニルアルコールが組成物の固形分の６０から９０％ｗ／ｗを構成する、第７項記載のコーティング組成物。
第９項：第１から８のいずれか１項記載の組成物を柔軟な基体に適用し、水性ビヒクルを移転することを含む、ガスバリヤラメラの製造方法。
第１０項：無機化合物を含むコーティングも適用される、第９項記載の製造方法。
第１１項：無機化合物が酸化アルミニウムである、第１０項記載の製造方法。
第１２項：無機化合物がシリコン酸化物である、第１０項記載の製造方法。
第１３項：シリル化ポリビニルアルコールおよびコロイダルシリカを含むコーティングが、無機化合物を含むコーティング上に適用される、第１０から１２のいずれか１項記載の製造方法。
第１４項：シリル化ポリビニルアルコールおよびコロイダルシリカを含むコーティングが、無機化合物を含むコーティングと反対側の基体表面上にコーティングされる、第１０から１２のいずれか１項記載の製造方法。
第１５項：基体が柔軟なプラスチックフィルムである、第１０から１４のいずれか１項記載の製造方法。
第１６項：無機化合物を含む第１のコーティング、およびその内部に粒状シリカが分散されたシリル化ポリビニルアルコールを含む第２のコーティングでコーティングされた柔軟な軟質プラスチックフィルムを含むガスバリヤラメラであって、シリル化ポリビニルアルコール中のシリルモノマー含有量がシリル化ポリビニルアルコールを形成するモノマーに基づいて３．０％より大きくなく、シリル化ポリビニルアルコールは、シリル化ポリビニルアルコールおよびシリカの全重量の固形分の少なくとも５０％ｗ／ｗを構成し、
コロイダルシリカの平均粒径は５〜５０ｎｍである、ガスバリヤラメラ。
第１７項：シリル化ポリビニルアルコールのシリルモノマー含有量が少なくとも０．２％である、第１６項記載のラメラ。
第１８項：シリル化ポリビニルアルコールのシリルモノマー含有量が少なくとも２．０％である、第１６項または１７項記載のラメラ。  
第１９項：シリル化ポリビニルアルコールのシリルモノマー含有量が０．４から２．０％である、第１８項記載のラメラ。
第２０項：シリル化ポリビニルアルコールが、シリル化ポリビニルアルコールおよびシリカの合計重量の少なくとも６０％ｗ／ｗである、第１６から１９のいずれか１項記載のラメラ。  
第２１項：シリル化ポリビニルアルコールが、シリル化ポリビニルアルコールおよびシリカの合計重量の５０から９０％ｗ／ｗである、第２０項記載のラメラ。
第２２項：基体がポリエステルである、第１６から２１のいずれか１項記載のラメラ。  
第２３項：第１のコーティングの無機化合物が酸化アルミニウムである、第１６から２２のいずれか１項記載のラメラ。  
第２４項：第１のコーティングの無機化合物がシリコン酸化物である、第１６から２３のいずれか１項記載のラメラ。  
第２５項：第２のコーティングが第１のコーティング上にコーティングされる、第１６から２４のいずれか１項記載のラメラ。
第２６項：第２のコーティングが第１のコーティングと反対側の柔軟なプラスチックフィルムの表面に適用される、第１６から２５のいずれか１項記載のラメラ。
第２７項：第１６から２６のいずれか１項記載のラメラを含み、さらなる柔軟なプラスチックシートに接着される多層ラメラ。
第２８項：前記のさらなるプラスチックシートがポリオレフィン、ポリエステル、ポリアミド、ポリ塩化ビニル、ポリイミド、アクリルポリマー、ポリスチレン、セルロース、ポリ塩化ビニリデンあるいはこれらのポリマーを形成する２つ以上の相溶可能なモノマーの共重合体である、第２７項記載のラメラ。
第２９項：第１６から２８のいずれか１項記載のラメラを含む包装材料で形成されるパッケージ。
第３０項：包装材料が第１６から２９のいずれか１項記載のラメラを含む、包装された食品、医薬品、または他の大気に敏感な物質。